(57)【要約】【課題】ループスタート方式とグランドスタート方式を同じハードウェアで実現する場合局線1次側と２次側の間の絶縁をとることが困難であった。【解決手段】局線トランク３は局用交換機１側の局用双方向トランク２からのＴｉｐ線への地気およびＲｉｎｇ線へのマイナス電源の供給によるループ電流をフォトカプラーＰＣＤＣにより検出する直流電流検出回路３１と着信時局用双方向トランク２から供給される呼出信号ＲＧをフォトカプラーＰＣＲＧにより検出する着信検出回路３２および局用双方向トランク２をトランジスターＱによる適正ループ電流を生成し、ループ起動およびループ保持する直流シンク回路３３を備え、地気の検出を高抵抗の検出回路で行うことにより、グランドスタート方式およびループスタート方式兼用にし、また、検出に局線１次側に自己電源を使用しないことで、局線1次側と２次側の間で容易に絶縁を確保する。【選択図】      図２
2005073112.tif 000002
【特許請求の範囲】
【請求項１】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出することを特徴とするグランドスタート方式およびループスタート方式兼用局線トランク回路。
【請求項２】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にすることを特徴とするグランドスタート方式およびループスタート方式兼用局線トランク回路。
【請求項３】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にすることを特徴とするグランドスタート方式およびループスタート方式兼用局線トランク回路。
【請求項４】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出するように構成し、着信検出を、グランドスタート方式の場合は、Ｔｉｐ線への地気およびＲｉｎｇ線へのマイナス電源の供給による直流電流検出回路の直流電流検出状態により行い、ループスタート方式の場合は、Ｔｉｐ線への地気およびＲｉｎｇ線へのマイナス電源の供給からＴｉｐ線へのマイナス電源およびＲｉｎｇ線への地気の供給に極性反転したことによる直流電流検出回路の直流電流検出状態から直流電流非検出状態に遷移したことにより行い、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする直流ループ回路によりリングトリップすることを特徴とするグランドスタート方式およびループスタート方式兼用局線トランク回路。
【請求項５】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出するように構成し、着信検出を、グランドスタート方式の場合は、Ｔｉｐ線への地気およびＲｉｎｇ線へのマイナス電源の供給による直流電流検出回路の直流電流検出状態と、局用双方向トランクから供給される呼出信号を第２のフォトカプラーにより検出する着信検出回路の検出状態との論理積により行い、ループスタート方式の場合は、Ｔｉｐ線への地気およびＲｉｎｇ線へのマイナス電源の供給からＴｉｐ線へのマイナス電源およびＲｉｎｇ線への地気の供給に極性反転したことによる直流電流検出回路の直流電流検出状態から直流電流非検出状態に遷移したことと、局用双方向トランクから供給される呼出信号を第２のフォトカプラーにより検出する着信検出回路の検出状態との論理積により行い、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする直流ループ回路によりリングトリップすることを特徴とするグランドスタート方式およびループスタート方式兼用局線トランク回路。
【請求項６】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、グランドスタート方式における構内交換機側から局用交換機側への発信時、発信動作を行うため構内交換機の制御回路はリレーＧを動作し、そのリレーＧのメーク接点により地気を抵抗ＲＳＴを経てＲｉｎｇ線へ供給し、発信動作を行い、局用交換機側の局用双方向トランクへ起動信号を送出し、局用双方向トランクは局線トランクからのＲｉｎｇ線地気の起動信号を受けて、起動の受付動作を行い、局用双方向トランクは起動完了にともないＴｉｐ線がオープンから地気に変わったことで、局線トランクが局用双方向トランクの起動完了を直流電流検出回路により確認し、起動完了信号を構内交換機の制御回路へ送出し、構内交換機は局用双方向トランクの起動を確認し、制御回路は回線の保持のためリレーＤを動作し、さらにリレーＡ動作し、直流シンク回路により局用双方向トランクの回線を保持し、局線トランクは局用双方向トランクを保持するとともに先に局用双方向トランク起動時動作したリレーＧを復旧し、通話中は直流シンク回路で通話回線を保持し、通話終了により構内交換機の制御回路はリレーＤを復旧させ、局用双方向トランクの保持をＤリレーのメーク接点により解放し局用双方向トランクを解放し、局用双方向トランクでは保持ループ回路が開放されたことで復旧動作を実行しＴｉｐ線に上げていた地気を外しオープン状態に戻し、元の局用双方向トランク回線空きの状態になり、Ｔｉｐ線オープン状態になったことで直流電流検出回路は解放され非検出状態に戻り、Ｔｉｐ線とＲｉｎｇ線の間には着信検出回路に含まれる直流カット用のコンデンサーＣＩに電荷が蓄積されており、Ｄリレーのメーク接点のみを開放し、放電抵抗ＲＳによりこの電荷を放電し、直流電流検出回路が非検出状態となった後にリレーＡを復旧し、Ａリレーのメーク接点を開放することで待機状態に復帰することを特徴とするグランドスタート方式およびループスタート方式兼用局線トランク回路の制御方法。
【請求項７】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、ループスタート方式における構内交換機側から局用交換機側への発信時、発信動作を行うため局線トランクは構内交換機の制御回路の制御のもとにリレーＤを動作し、続いてリレーＡを動作し、Ｔｉｐ線とＲｉｎｇ線の間を、リレーＤのメーク接点およびリレーＡのメーク接点からなる直列接続回路に直流シンク回路を直列接続し、Ｔｉｐ線とＲｉｎｇ線間を閉成し、局用交換機側の局用双方向トランクに対してループ起動し、通話を開始し、通話中局線トランクはループ回路で局用双方向トランクを保持し、通話終了により構内交換機の制御回路はリレーＤを復旧させ、局用双方向トランクの保持をＤリレーのメーク接点により解放し局用双方向トランクを解放し、構内交換機の制御回路はリレーＤを復旧させた後、リレーＡが復旧し、待機状態に復帰することを特徴とするグランドスタート方式およびループスタート方式兼用局線トランク回路の制御方法。
【請求項８】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、グランドスタート方式における局用交換機側から構内交換機側への着信時、着信動作を行うため局用双方向トランクは通常の空き状態の待機状態のＴｉｐ線がオープン、Ｒｉｎｇ線がマイナス電源から、Ｒｉｎｇ線がマイナス電源でＴｉｐ線をオープン状態から地気にし、呼出信号を重畳してき、局線トランクはＴｉｐ線に地気を受けて直流電流検出回路が検出状態となり、検出状態を構内交換機の制御回路へ送出し、さらに、局線トランクはＴｉｐ線Ｒｉｎｇ線間に重畳された呼出信号を着信検出回路で検出し、構内交換機の制御回路へ検出信号を送出し、構内交換機は局用双方向トランクからの着信に対し応答するためにリレーＤを起動し、リレーＡが起動し、局用双方向トランに対し直流ループを閉成し、局用双方向トランでリングトリップを行わせ、局用双方向トランクでは局線トランク３が直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、通話終了により局用双方向トランクからのＴｉｐ線地気がオープン状態に変わることで局線トランクの直流電流検出回路は検出状態から非検出状態になり、構内交換機の制御回路は直流電流検出回路からの信号がなくなったことを受けてリレーＤを復旧させ、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、待機状態に復帰することを特徴とするグランドスタート方式およびループスタート方式兼用局線トランク回路の制御方法。
【請求項９】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、ループスタート方式における局用交換機側から構内交換機側への着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号が重畳され、局線トランクは局用双方向トランクが通常の空き状態の待機状態のＴｉｐ線が地気、Ｒｉｎｇ線がマイナス電源から、直流電流検出回路は通常の待機状態で検出状態となっており、着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号を重畳してき、着信により、Ｔｉｐ線マイナス電源、Ｒｉｎｇ線地気に変化したことにより局線トランクの直流電流検出回路は検出状態から非検出状態となり、非検出状態が構内交換機の制御回路へ送出され、さらに、局線トランクはＴｉｐ線Ｒｉｎｇ線間に重畳された呼出信号を着信検出回路が検出し、検出信号を構内交換機の制御回路へ送出し、構内交換機は局用双方向トランクからの着信に対し応答するためにリレーＤを起動し、さらにＤリレーがオンしたことでリレーＡがオンし、局用双方向トランに対し直流ループを閉成し、局用双方向トランでリングトリップを行わせ、局用双方向トランクでは局線トランクが直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、さらに局用双方向トランクでリングトリップしたことで、局用双方向トランクは通常の空き状態の待機状態のＴｉｐ線が地気、Ｒｉｎｇ線がマイナス電源の状態に戻ることから、局線トランクの直流電流検出回路は非検出状態から検出に戻り、検出状態信号を構内交換機の制御回路へ送出し、通話終了により局用双方向トランクからのＴｉｐ線地気Ｒｉｎｇ線マイナス電源が一時瞬断しＴｉｐ線およびＲｉｎｇ線が一時オープン状態に変わることで局線トランクの直流電流検出回路は一時検出状態から非検出状態になり、構内交換機の制御回路は直流電流検出回路からの検出状態信号が一時なくなったことを受けてリレーＤを復旧させ、局用双方向トランクの保持をＤリレーのメーク接点により解放し局用双方向トランクを解放し、局用双方向トランクでは通話終了により局用双方向トランクからのＴｉｐ線地気Ｒｉｎｇ線マイナス電源が一時瞬断しＴｉｐ線およびＲｉｎｇ線が一時オープン状態にした後、再び元のＴｉｐ線地気Ｒｉｎｇ線マイナス電源の回線状態に戻し、元の局用双方向トランク２回線空きの状態になり、局線トランクの直流電流検出回路は再び検出状態になり、つぎの呼を待機し、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、局線トランクが待機状態に復帰することを特徴とするグランドスタート方式およびループスタート方式兼用局線トランク回路の制御方法。
【請求項１０】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、グランドスタート方式における構内交換機側から局用交換機側への発信時、発信動作を行うため構内交換機の制御回路はリレーＧを動作し、そのリレーＧのメーク接点により地気を抵抗ＲＳＴを経てＲｉｎｇ線へ供給し、発信動作を行い、局用交換機側の局用双方向トランクへ起動信号を送出し、局用双方向トランクは局線トランクからのＲｉｎｇ線地気の起動信号を受けて、起動の受付動作を行い、局用双方向トランクは起動完了にともないＴｉｐ線がオープンから地気に変わったことで、局線トランクが局用双方向トランクの起動完了を直流電流検出回路により確認し、起動完了信号を構内交換機の制御回路へ送出し、構内交換機は局用双方向トランクの起動を確認し、制御回路は回線の保持のためリレーＤを動作し、さらにリレーＡ動作し、直流シンク回路により局用双方向トランクの回線を保持し、局線トランクは局用双方向トランクを保持するとともに先に局用双方向トランク起動時動作したリレーＧを復旧し、通話中は直流シンク回路で通話回線を保持し、通話終了により構内交換機の制御回路はリレーＤを復旧させ、局用双方向トランクの保持をＤリレーのメーク接点により解放し局用双方向トランクを解放し、局用双方向トランクでは保持ループ回路が開放されたことで復旧動作を実行しＴｉｐ線に上げていた地気を外しオープン状態に戻し、元の局用双方向トランク回線空きの状態になり、Ｔｉｐ線オープン状態になったことで直流電流検出回路は解放され非検出状態に戻り、Ｔｉｐ線とＲｉｎｇ線の間には着信検出回路に含まれる直流カット用のコンデンサーＣＩに電荷が蓄積されており、Ｄリレーのメーク接点のみを開放し、放電抵抗ＲＳによりこの電荷を放電し、直流電流検出回路が非検出状態となった後にリレーＡを復旧し、Ａリレーのメーク接点を開放することで待機状態に復帰することを特徴とするグランドスタート方式およびループスタート方式兼用局線トランク回路の制御用プログラム。
【請求項１１】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、ループスタート方式における構内交換機側から局用交換機側への発信時、発信動作を行うため局線トランクは構内交換機の制御回路の制御のもとにリレーＤを動作し、続いてリレーＡを動作し、Ｔｉｐ線とＲｉｎｇ線の間を、リレーＤのメーク接点およびリレーＡのメーク接点からなる直列接続回路に直流シンク回路を直列接続し、Ｔｉｐ線とＲｉｎｇ線間を閉成し、局用交換機側の局用双方向トランクに対してループ起動し、通話を開始し、通話中局線トランクはループ回路で局用双方向トランクを保持し、通話終了により構内交換機の制御回路はリレーＤを復旧させ、局用双方向トランクの保持をＤリレーのメーク接点により解放し局用双方向トランクを解放し、構内交換機の制御回路はリレーＤを復旧させた後、リレーＡが復旧し、待機状態に復帰することを特徴とするグランドスタート方式およびループスタート方式兼用局線トランク回路の制御用プログラム。
【請求項１２】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、グランドスタート方式における局用交換機側から構内交換機側への着信時、着信動作を行うため局用双方向トランクは通常の空き状態の待機状態のＴｉｐ線がオープン、Ｒｉｎｇ線がマイナス電源から、Ｒｉｎｇ線がマイナス電源でＴｉｐ線をオープン状態から地気にし、呼出信号を重畳してき、局線トランクはＴｉｐ線に地気を受けて直流電流検出回路が検出状態となり、検出状態を構内交換機の制御回路へ送出し、さらに、局線トランクはＴｉｐ線Ｒｉｎｇ線間に重畳された呼出信号を着信検出回路で検出し、構内交換機の制御回路へ検出信号を送出し、構内交換機は局用双方向トランクからの着信に対し応答するためにリレーＤを起動し、リレーＡが起動し、局用双方向トランに対し直流ループを閉成し、局用双方向トランでリングトリップを行わせ、局用双方向トランクでは局線トランク３が直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、通話終了により局用双方向トランクからのＴｉｐ線地気がオープン状態に変わることで局線トランクの直流電流検出回路は検出状態から非検出状態になり、構内交換機の制御回路は直流電流検出回路からの信号がなくなったことを受けてリレーＤを復旧させ、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、待機状態に復帰することを特徴とするグランドスタート方式およびループスタート方式兼用局線トランク回路の制御用プログラム。
【請求項１３】
グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、ループスタート方式における局用交換機側から構内交換機側への着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号が重畳され、局線トランクは局用双方向トランクが通常の空き状態の待機状態のＴｉｐ線が地気、Ｒｉｎｇ線がマイナス電源から、直流電流検出回路は通常の待機状態で検出状態となっており、着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号を重畳してき、着信により、Ｔｉｐ線マイナス電源、Ｒｉｎｇ線地気に変化したことにより局線トランクの直流電流検出回路は検出状態から非検出状態となり、非検出状態が構内交換機の制御回路へ送出され、さらに、局線トランクはＴｉｐ線Ｒｉｎｇ線間に重畳された呼出信号を着信検出回路が検出し、検出信号を構内交換機の制御回路へ送出し、構内交換機は局用双方向トランクからの着信に対し応答するためにリレーＤを起動し、さらにＤリレーがオンしたことでリレーＡがオンし、局用双方向トランに対し直流ループを閉成し、局用双方向トランでリングトリップを行わせ、局用双方向トランクでは局線トランクが直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、さらに局用双方向トランクでリングトリップしたことで、局用双方向トランクは通常の空き状態の待機状態のＴｉｐ線が地気、Ｒｉｎｇ線がマイナス電源の状態に戻ることから、局線トランクの直流電流検出回路は非検出状態から検出に戻り、検出状態信号を構内交換機の制御回路へ送出し、通話終了により局用双方向トランクからのＴｉｐ線地気Ｒｉｎｇ線マイナス電源が一時瞬断しＴｉｐ線およびＲｉｎｇ線が一時オープン状態に変わることで局線トランクの直流電流検出回路は一時検出状態から非検出状態になり、構内交換機の制御回路は直流電流検出回路からの検出状態信号が一時なくなったことを受けてリレーＤを復旧させ、局用双方向トランクの保持をＤリレーのメーク接点により解放し局用双方向トランクを解放し、局用双方向トランクでは通話終了により局用双方向トランクからのＴｉｐ線地気Ｒｉｎｇ線マイナス電源が一時瞬断しＴｉｐ線およびＲｉｎｇ線が一時オープン状態にした後、再び元のＴｉｐ線地気Ｒｉｎｇ線マイナス電源の回線状態に戻し、元の局用双方向トランク２回線空きの状態になり、局線トランクの直流電流検出回路は再び検出状態になり、つぎの呼を待機し、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、局線トランクが待機状態に復帰することを特徴とするグランドスタート方式およびループスタート方式兼用局線トランク回路の制御用プログラム。
【発明の詳細な説明】
【技術分野】
【０００１】
本発明はグランドスタート方式およびループスタート方式兼用局線トランク回路、局線トランク回路の制御方法、および局線トランク回路の制御用プログラムに関し、特に局線トランク回路において、地気の検出を高抵抗の検出回路で行うことにより、切り替え回路やループスタート方式の場合にグランドスタート回路の切り離し回路を不要とし、検出に局線１次側に自己電源を使用しないことで、局線１次側と２次側の絶縁を確保したグランドスタート方式およびループスタート方式兼用局線トランク回路、局線トランク回路の制御方法、および局線トランク回路の制御用プログラムに関する。
【背景技術】
【０００２】
従来、構内交換機と局用交換機を接続する場合、ループスタート方式とグランドスタート方式を同じハードウェアで実現する場合、切り替え回路等のハードウェアが必要であった。
【０００３】
また切り替えが不要であっても、自己電源を使用する方式であり、局線1次側（局用交換機側）と２次側（構内交換機側）の間の絶縁をとることが困難であった。
【０００４】
たとえば、従来の技術として、特開昭５６−１２２５５２号公報がある（特許文献１参照。）。
【０００５】
市内電話交換機と接続されループスタートとグランドスタートモードを有する加入者端末回路において、
１）ループスタートモードの場合、市内電話交換機よりチップ線とリング線に送出されるリンギング信号を抵抗、コンデンサ、フォトカプラーを接続したダイオードブリッジ回路によより検出し
２）加入者端末回路が通話モードになった場合、チップ線リング線間に通話電流供給用抵抗と直流アンプのトランジスタを接続し、チップ線とリング線間の電圧を分圧したものと通話電流供給用抵抗と直流アンプのトランジスタの間の電圧を帰還抵抗を通したものとを、比較回路で比較し、そのトランジスタのべース電流を制御し、
また、通話電流供給用抵抗と並列に直列接続された分流抵抗とループ電流検出用フォトカプラーを接続し、ループ電流を検出し、また、比較回路やトランジスタなどの電子回路をサージ電圧から保護する回路を有し、
３）グランドスタートモードにおいて、市内電話交換機からの起動信号をチップ線とリング線間に直列に接続された高抵抗と徴少電流検出用のフォトカプラーで検出し、また加入者端末回路より起動する場合、市内電話交換機から返送されるチップ線グランド信号をフォトカプラーで検出することを特徴とする加入者端末回路が得られる。
【０００６】
以上のように、ル−プスタ−トモ−ドの場合、スイツチＧＤがオフされ、市内電話交換機ＬＳからのリンギング信号はダイオ−ドブリツジＤ０〜Ｄ３で整流後にホトカプラＰＣ２によつて検出される。
【０００７】
また、通話モ−ドの場合、音声信号はコンデンサＣ１でバイパスされ、オペアンプＩＣの＋端子に直流電圧が発生し、その出力でトランジスタＱ０、Ｑ１のベ−ス電流ｉが制御され、チツプ線ＴＩＰＯとリング線ＲＩＮＧＯのル−プ電流の分流電流がＰＣ３で検出される。
【０００８】
さらに、グランドスタ−トモ−ドの場合、ＧＤがオンされ、ＬＳからの起動信号はＰＣＯで検出され、加入者端末回路ＳＵＢからＬＳを起動した時、起動完了信号はＰＣ１で検出される。
【０００９】
前記グランドスタ−トモ−ドの場合で、加入者端末回路ＳＵＢからＬＳを起動した時、起動完了信号をＰＣ１で検出する場合、加入者端末回路はＬＳからのグランドを加入者端末回路ＳＵＢ自身の−４８Ｖ負電源を使用し起動完了信号を確認している。
【００１０】
以上のようにル−プスタ−トモ−ドとグランドスタ−トモ−ドの場合でＧＤリレーにより切り替え、加入者端末回路ＳＵＢ自身の−４８Ｖ負電源を使用して起動完了信号を確認している。
【００１１】
このように、加入者端末回路ＳＵＢ自身の−４８Ｖ負電源を使用しているため、局線1次側（市内交換機側）と２次側（加入者端末回路側）の間の絶縁をとることが困難であった。
【００１２】
また、従来技術として、特開昭６２−２２００９５号公報がある（特許文献２参照。）。
【００１３】
これは、目的として、グランドスタ−ト方式で局に対する起動時にのみ，自己の負電源の電位を利用して地気検出を行うことにより，ル−プスタ−ト方式の場合に切り離し回路を不要とする。
【００１４】
構成としては、着信のとき，アメリカ方式ではリング線は負電位のまま変化せず，チツプ線がオ−プンから地気へ変化する。チツプ線の電位変化に基づく電流が電流監視回路を通過するので，主検出素子により検出する。
【００１５】
そして共通制御部へ着信のあつたことを通知する。
【００１６】
次に発信のため局に対して起動をかけるとき，原理的にはリング線に地気を送る。
【００１７】
局の交換機側が動作してチツプ線に地気を送つて来たとき，その地気への電位変化は電流監視回路から装置の負電源へ流れた電流により検出する。
【００１８】
このように、グランドスタ−ト方式で局に対する起動時にのみ，自己の負電源の電位を利用して地気検出を行っている。この手段で局線1次−２次の絶縁を取るには負電源自体を２次側から絶縁するしかない。
【００１９】
また、従来技術として、特開平０３−１８８７９３号公報がある（特許文献３参照。）。
【００２０】
これは、目的として、構内交換機のパワ−オン、またはリセツトを検知すると、グランド・スタ−ト型の発信、およびル−プ・スタ−ト型の発信を行なつて対応する契約局線の種類を識別登録することにより、構内交換機設置時にプログラム設定をする必要をなくする。
【００２１】
構成として、パワ−オン・リセツト検知部１６によつてパワ−オン、またはリセツトが検出されると、制御部１４は、リレ−接点８をメイク状態にし、グランド・スタ−ト型の発信を行なう。
【００２２】
ここで契約局線がグランド・スタ−ト型の場合Ｔｉｐグランド検知回路６により、制御部１４はこれを識別して記憶部１５に、この局線をグランド・スタ−ト型として登録する。
【００２３】
また契約局線がル−プ・スタ−ト型の場合制御部１４は、検知回路部６により、グランド・スタ−ト型の局線ではないと判断し、つぎにル−プスタ−ト型発信を行なうため、リレ−接点８をブレイクし、Ｒｉｎｇ端子１、Ｔｉｐ端子２を整流回路部７に接続し、直流ル−プ形成・ル−プ電流検知回路部１０により、これを識別してその局線を記憶部１５にル−プ・スタ−ト型局線として登録する。
【００２４】
Ｔｉｐグランド検知回路６は契約局線のグランドを検出するのに構内交換機自体の−４８Ｖ電源を使用している。
【００２５】
このように自身の−４８Ｖ負電源を使用しているため、局線1次側（契約局側）と２次側（構内交換機側）の間の絶縁をとることが困難であった。
【００２６】
また、従来技術として、特開昭５９−１６８７９５号公報がある（特許文献４参照。）。
【００２７】
これは、目的として、ル−プスタ−トと地気スタ−ト回路のいずれかからの信号に応動するよう切替えることにより，その動作をル−プスタ−トモ−ドと地気スタ−トモ−ドで切替えることができるようにする。
【００２８】
構成として、構内交換機（ＰＢＸ）１０はチツプ及びリング導体１１，１２を含む電話ライン回路を通してインタフエ−ス回路１３に接続されている。
【００２９】
これら導体１１，１２を通して第１，第２の差動増幅器３１，３２にラインフイ−ルド電流が供給される。
【００３０】
そして同相モ−ド回路４０はこれら増幅器に等しい規準信号を供給する。そして同相モ−ド回路４０を，ル−プスタ−トモ−ドではその接続の間の電圧差と，地気スタ−トモ−ドでは予め定められた固定バイアス電圧と接続を行うため切替可能にする。
【００３１】
構内交換機（ＰＢＸ）１０の地気検出（接地検出器２０）は構内交換機（ＰＢＸ）１０自体の負の電源２１を使用してる。
【００３２】
このように、構内交換機（ＰＢＸ）１０自体の負の電源の−４８Ｖ負電源を使用しているため、局線1次側（契約局側）と２次側（構内交換機側）の間の絶縁をとることが困難であった。
【００３３】
【特許文献１】特開昭５６−１２２５５２号公報（［明細書２頁左欄上段第１８行目〜２頁左欄下段第３行目］）
【００３４】
【特許文献２】特開昭６２−２２００９５号公報（［明細書４頁左欄上段第１８行目〜４頁左欄下段第７行目］）
【特許文献３】特開平０３−１８８７９３号公報（［明細書２頁右欄上段第４行目〜２頁右欄上段第１５行目］）
【特許文献４】特開昭５９−１６８７９５号公報［明細書５頁左欄下段第１８行目〜５頁右欄下段第６行目］）
【発明の開示】
【発明が解決しようとする課題】
【００３５】
従来、ループスタート方式とグランドスタート方式を同じハードウェアで実現する場合、切り替え回路等のハードウェアが必要であった。また切り替えが不要であっても、自己電源を使用する方式であり、局線1次側（局用交換機側）と２次側（構内交換機側）の間の絶縁をとることが困難であった。
（発明の目的）
本発明の目的は、ループスタート方式とグランドスタート方式の両方式を同じハードウェアで実現し、切り替え回路は不要であり、さらに絶縁の確保も容易にできるグランドスタート方式およびループスタート方式兼用局線トランク回路、局線トランク回路の制御方法、および局線トランク回路の制御用プログラムを提供することにある。
【課題を解決するための手段】
【００３６】
第１の発明のグランドスタート方式およびループスタート方式兼用局線トランク回路は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出することを特徴とする。
【００３７】
また、第２の発明のグランドスタート方式およびループスタート方式兼用局線トランク回路は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にすることを特徴とする。
【００３８】
また、第３の発明のグランドスタート方式およびループスタート方式兼用局線トランク回路は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にすることを特徴とする。
【００３９】
第４の発明のグランドスタート方式およびループスタート方式兼用局線トランク回路は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出するように構成し、着信検出を、グランドスタート方式の場合は、Ｔｉｐ線への地気およびＲｉｎｇ線へのマイナス電源の供給による直流電流検出回路の直流電流検出状態により行い、ループスタート方式の場合は、Ｔｉｐ線への地気およびＲｉｎｇ線へのマイナス電源の供給からＴｉｐ線へのマイナス電源およびＲｉｎｇ線への地気の供給に極性反転したことによる直流電流検出回路の直流電流検出状態から直流電流非検出状態に遷移したことにより行い、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする直流ループ回路によりリングトリップすることを特徴とする。
【００４０】
第５の発明のグランドスタート方式およびループスタート方式兼用局線トランク回路は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出するように構成し、着信検出を、グランドスタート方式の場合は、Ｔｉｐ線への地気およびＲｉｎｇ線へのマイナス電源の供給による直流電流検出回路の直流電流検出状態と、局用双方向トランクから供給される呼出信号を第２のフォトカプラーにより検出する着信検出回路の検出状態との論理積により行い、ループスタート方式の場合は、Ｔｉｐ線への地気およびＲｉｎｇ線へのマイナス電源の供給からＴｉｐ線へのマイナス電源およびＲｉｎｇ線への地気の供給に極性反転したことによる直流電流検出回路の直流電流検出状態から直流電流非検出状態に遷移したことと、局用双方向トランクから供給される呼出信号を第２のフォトカプラーにより検出する着信検出回路の検出状態との論理積により行い、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする直流ループ回路によりリングトリップすることを特徴とする。
【００４１】
第６の発明のグランドスタート方式およびループスタート方式兼用局線トランク回路の制御方法は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、グランドスタート方式における構内交換機側から局用交換機側への発信時、発信動作を行うため構内交換機の制御回路はリレーＧを動作し、そのリレーＧのメーク接点により地気を抵抗ＲＳＴを経てＲｉｎｇ線へ供給し、発信動作を行い、局用交換機側の局用双方向トランクへ起動信号を送出し、局用双方向トランクは局線トランクからのＲｉｎｇ線地気の起動信号を受けて、起動の受付動作を行い、局用双方向トランクは起動完了にともないＴｉｐ線がオープンから地気に変わったことで、局線トランクが局用双方向トランクの起動完了を直流電流検出回路により確認し、起動完了信号を構内交換機の制御回路へ送出し、構内交換機は局用双方向トランクの起動を確認し、制御回路は回線の保持のためリレーＤを動作し、さらにリレーＡ動作し、直流シンク回路により局用双方向トランクの回線を保持し、局線トランクは局用双方向トランクを保持するとともに先に局用双方向トランク起動時動作したリレーＧを復旧し、通話中は直流シンク回路で通話回線を保持し、通話終了により構内交換機の制御回路はリレーＤを復旧させ、局用双方向トランクの保持をＤリレーのメーク接点により解放し局用双方向トランクを解放し、局用双方向トランクでは保持ループ回路が開放されたことで復旧動作を実行しＴｉｐ線に上げていた地気を外しオープン状態に戻し、元の局用双方向トランク回線空きの状態になり、Ｔｉｐ線オープン状態になったことで直流電流検出回路は解放され非検出状態に戻り、Ｔｉｐ線とＲｉｎｇ線の間には着信検出回路に含まれる直流カット用のコンデンサーＣＩに電荷が蓄積されており、Ｄリレーのメーク接点のみを開放し、放電抵抗ＲＳによりこの電荷を放電し、直流電流検出回路が非検出状態となった後にリレーＡを復旧し、Ａリレーのメーク接点を開放することで待機状態に復帰することを特徴とするグランドスタート方式およびループスタート方式兼用局線トランク回路の制御方法。
【００４２】
第７の発明のグランドスタート方式およびループスタート方式兼用局線トランク回路の制御方法は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、ループスタート方式における構内交換機側から局用交換機側への発信時、発信動作を行うため局線トランクは構内交換機の制御回路の制御のもとにリレーＤを動作し、続いてリレーＡを動作し、Ｔｉｐ線とＲｉｎｇ線の間を、リレーＤのメーク接点およびリレーＡのメーク接点からなる直列接続回路に直流シンク回路を直列接続し、Ｔｉｐ線とＲｉｎｇ線間を閉成し、局用交換機側の局用双方向トランクに対してループ起動し、通話を開始し、通話中局線トランクはループ回路で局用双方向トランクを保持し、通話終了により構内交換機の制御回路はリレーＤを復旧させ、局用双方向トランクの保持をＤリレーのメーク接点により解放し局用双方向トランクを解放し、構内交換機の制御回路はリレーＤを復旧させた後、リレーＡが復旧し、待機状態に復帰することを特徴とするグランドスタート方式およびループスタート方式兼用局線トランク回路の制御方法。
【００４３】
第８の発明のグランドスタート方式およびループスタート方式兼用局線トランク回路の制御方法は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、グランドスタート方式における局用交換機側から構内交換機側への着信時、着信動作を行うため局用双方向トランクは通常の空き状態の待機状態のＴｉｐ線がオープン、Ｒｉｎｇ線がマイナス電源から、Ｒｉｎｇ線がマイナス電源でＴｉｐ線をオープン状態から地気にし、呼出信号を重畳してき、局線トランクはＴｉｐ線に地気を受けて直流電流検出回路が検出状態となり、検出状態を構内交換機の制御回路へ送出し、さらに、局線トランクはＴｉｐ線Ｒｉｎｇ線間に重畳された呼出信号を着信検出回路で検出し、構内交換機の制御回路へ検出信号を送出し、構内交換機は局用双方向トランクからの着信に対し応答するためにリレーＤを起動し、リレーＡが起動し、局用双方向トランに対し直流ループを閉成し、局用双方向トランでリングトリップを行わせ、局用双方向トランクでは局線トランク３が直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、通話終了により局用双方向トランクからのＴｉｐ線地気がオープン状態に変わることで局線トランクの直流電流検出回路は検出状態から非検出状態になり、構内交換機の制御回路は直流電流検出回路からの信号がなくなったことを受けてリレーＤを復旧させ、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、待機状態に復帰することを特徴とするグランドスタート方式およびループスタート方式兼用局線トランク回路の制御方法。
【００４４】
第９の発明のグランドスタート方式およびループスタート方式兼用局線トランク回路の制御方法は、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御方法であって、ループスタート方式における局用交換機側から構内交換機側への着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号が重畳され、局線トランクは局用双方向トランクが通常の空き状態の待機状態のＴｉｐ線が地気、Ｒｉｎｇ線がマイナス電源から、直流電流検出回路は通常の待機状態で検出状態となっており、着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号を重畳してき、着信により、Ｔｉｐ線マイナス電源、Ｒｉｎｇ線地気に変化したことにより局線トランクの直流電流検出回路は検出状態から非検出状態となり、非検出状態が構内交換機の制御回路へ送出され、さらに、局線トランクはＴｉｐ線Ｒｉｎｇ線間に重畳された呼出信号を着信検出回路が検出し、検出信号を構内交換機の制御回路へ送出し、構内交換機は局用双方向トランクからの着信に対し応答するためにリレーＤを起動し、さらにＤリレーがオンしたことでリレーＡがオンし、局用双方向トランに対し直流ループを閉成し、局用双方向トランでリングトリップを行わせ、局用双方向トランクでは局線トランクが直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、さらに局用双方向トランクでリングトリップしたことで、局用双方向トランクは通常の空き状態の待機状態のＴｉｐ線が地気、Ｒｉｎｇ線がマイナス電源の状態に戻ることから、局線トランクの直流電流検出回路は非検出状態から検出に戻り、検出状態信号を構内交換機の制御回路へ送出し、通話終了により局用双方向トランクからのＴｉｐ線地気Ｒｉｎｇ線マイナス電源が一時瞬断しＴｉｐ線およびＲｉｎｇ線が一時オープン状態に変わることで局線トランクの直流電流検出回路は一時検出状態から非検出状態になり、構内交換機の制御回路は直流電流検出回路からの検出状態信号が一時なくなったことを受けてリレーＤを復旧させ、局用双方向トランクの保持をＤリレーのメーク接点により解放し局用双方向トランクを解放し、局用双方向トランクでは通話終了により局用双方向トランクからのＴｉｐ線地気Ｒｉｎｇ線マイナス電源が一時瞬断しＴｉｐ線およびＲｉｎｇ線が一時オープン状態にした後、再び元のＴｉｐ線地気Ｒｉｎｇ線マイナス電源の回線状態に戻し、元の局用双方向トランク２回線空きの状態になり、局線トランクの直流電流検出回路は再び検出状態になり、つぎの呼を待機し、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、局線トランクが待機状態に復帰することを特徴とするグランドスタート方式およびループスタート方式兼用局線トランク回路の制御方法。
【００４５】
第１０の発明のグランドスタート方式およびループスタート方式兼用局線トランク回路の制御用プログラムは、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、グランドスタート方式における構内交換機側から局用交換機側への発信時、発信動作を行うため構内交換機の制御回路はリレーＧを動作し、そのリレーＧのメーク接点により地気を抵抗ＲＳＴを経てＲｉｎｇ線へ供給し、発信動作を行い、局用交換機側の局用双方向トランクへ起動信号を送出し、局用双方向トランクは局線トランクからのＲｉｎｇ線地気の起動信号を受けて、起動の受付動作を行い、局用双方向トランクは起動完了にともないＴｉｐ線がオープンから地気に変わったことで、局線トランクが局用双方向トランクの起動完了を直流電流検出回路により確認し、起動完了信号を構内交換機の制御回路へ送出し、構内交換機は局用双方向トランクの起動を確認し、制御回路は回線の保持のためリレーＤを動作し、さらにリレーＡ動作し、直流シンク回路により局用双方向トランクの回線を保持し、局線トランクは局用双方向トランクを保持するとともに先に局用双方向トランク起動時動作したリレーＧを復旧し、通話中は直流シンク回路で通話回線を保持し、通話終了により構内交換機の制御回路はリレーＤを復旧させ、局用双方向トランクの保持をＤリレーのメーク接点により解放し局用双方向トランクを解放し、局用双方向トランクでは保持ループ回路が開放されたことで復旧動作を実行しＴｉｐ線に上げていた地気を外しオープン状態に戻し、元の局用双方向トランク回線空きの状態になり、Ｔｉｐ線オープン状態になったことで直流電流検出回路は解放され非検出状態に戻り、Ｔｉｐ線とＲｉｎｇ線の間には着信検出回路に含まれる直流カット用のコンデンサーＣＩに電荷が蓄積されており、Ｄリレーのメーク接点のみを開放し、放電抵抗ＲＳによりこの電荷を放電し、直流電流検出回路が非検出状態となった後にリレーＡを復旧し、Ａリレーのメーク接点を開放することで待機状態に復帰する処理をコンピュータに実行させるためのグランドスタート方式およびループスタート方式兼用局線トランク回路の制御用プログラム。
【００４６】
第１１の発明のグランドスタート方式およびループスタート方式兼用局線トランク回路の制御用プログラムは、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、ループスタート方式における構内交換機側から局用交換機側への発信時、発信動作を行うため局線トランクは構内交換機の制御回路の制御のもとにリレーＤを動作し、続いてリレーＡを動作し、Ｔｉｐ線とＲｉｎｇ線の間を、リレーＤのメーク接点およびリレーＡのメーク接点からなる直列接続回路に直流シンク回路を直列接続し、Ｔｉｐ線とＲｉｎｇ線間を閉成し、局用交換機側の局用双方向トランクに対してループ起動し、通話を開始し、通話中局線トランクはループ回路で局用双方向トランクを保持し、通話終了により構内交換機の制御回路はリレーＤを復旧させ、局用双方向トランクの保持をＤリレーのメーク接点により解放し局用双方向トランクを解放し、構内交換機の制御回路はリレーＤを復旧させた後、リレーＡが復旧し、待機状態に復帰する処理をコンピュータに実行させるためのグランドスタート方式およびループスタート方式兼用局線トランク回路の制御用プログラム。
【００４７】
第１２の発明のグランドスタート方式およびループスタート方式兼用局線トランク回路の制御用プログラムは、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、グランドスタート方式における局用交換機側から構内交換機側への着信時、着信動作を行うため局用双方向トランクは通常の空き状態の待機状態のＴｉｐ線がオープン、Ｒｉｎｇ線がマイナス電源から、Ｒｉｎｇ線がマイナス電源でＴｉｐ線をオープン状態から地気にし、呼出信号を重畳してき、局線トランクはＴｉｐ線に地気を受けて直流電流検出回路が検出状態となり、検出状態を構内交換機の制御回路へ送出し、さらに、局線トランクはＴｉｐ線Ｒｉｎｇ線間に重畳された呼出信号を着信検出回路で検出し、構内交換機の制御回路へ検出信号を送出し、構内交換機は局用双方向トランクからの着信に対し応答するためにリレーＤを起動し、リレーＡが起動し、局用双方向トランに対し直流ループを閉成し、局用双方向トランでリングトリップを行わせ、局用双方向トランクでは局線トランク３が直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、通話終了により局用双方向トランクからのＴｉｐ線地気がオープン状態に変わることで局線トランクの直流電流検出回路は検出状態から非検出状態になり、構内交換機の制御回路は直流電流検出回路からの信号がなくなったことを受けてリレーＤを復旧させ、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、待機状態に復帰する処理をコンピュータに実行させるためのグランドスタート方式およびループスタート方式兼用局線トランク回路の制御用プログラム。
【００４８】
第１３の発明のグランドスタート方式およびループスタート方式兼用局線トランク回路の制御用プログラムは、グランドスタート方式およびループスタート方式を同一の構内交換機の局線トランクで動作させる場合、局用交換機と構内交換機は局用交換機側の局用双方向トランクと構内交換機側の局線トランクにより接続され、局線トランクは局用双方向トランクからのＴｉｐ線への地気およびＲｉｎｇ線へのマイナス電源の供給によるループ電流を第１のフォトカプラーにより検出する直流電流検出回路と、局用双方向トランクから供給される呼出信号を第２のフォトカプラーにより検出する着信検出回路と、局用双方向トランクを、Ｔｉｐ線Ｒｉｎｇ線間に接続されたダイオードブリッジ回路の直流回路に挿入したトランジスターによりループ電流を制御し、ループ起動およびループ保持する直流シンク回路を備え、直流電流検出回路は局用双方向トランクからのＴｉｐ線への地気およびＲｉｎｇ線へのマイナス電源の供給によるループ電流を、局用双方向トランクのループスタートを阻止し、局線トランクの直流電流検出回路の直流電流検出を可能とするよう調整された抵抗を通し、直流電流検出回路の第１のフォトカプラーにより検出し、直流シンク回路は局線トランクのＴｉｐ線Ｒｉｎｇ線間をダイオードブリッジ回路と、ダイオードブリッジ回路のプラス（＋）マイナス（−）間に接続された直流電流調整回路とにより直流ループ電流を調整するよう構成し、直流電流調整回路は、ダイオードブリッジ回路のプラス（＋）から抵抗ＲＢを経てトランジスターのベースに接続し、また、ダイオードブリッジ回路のプラス（＋）からトランジスターのコレクタに接続し、トランジスターのエミッターから抵抗ＲＥを経てダイオードブリッジ回路のマイナス（−）へ接続し、トランジスターのベースとダイオードブリッジ回路のマイナス（−）の間にゼナーダイオードをゼナーダイオードのアノード側をトランジスターのベースにまたゼナーダイオードのカソード側をダイオードブリッジ回路のマイナス（−）に接続し、ゼナーダイオードのゼナー電圧により抵抗ＲＥに流れる電流を調整し回線ループ電流にする構成にするグランドスタート方式およびループスタート方式兼用局線トランク回路の制御処理において、ループスタート方式における局用交換機側から構内交換機側への着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号が重畳され、局線トランクは局用双方向トランクが通常の空き状態の待機状態のＴｉｐ線が地気、Ｒｉｎｇ線がマイナス電源から、直流電流検出回路は通常の待機状態で検出状態となっており、着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号を重畳してき、着信により、Ｔｉｐ線マイナス電源、Ｒｉｎｇ線地気に変化したことにより局線トランクの直流電流検出回路は検出状態から非検出状態となり、非検出状態が構内交換機の制御回路へ送出され、さらに、局線トランクはＴｉｐ線Ｒｉｎｇ線間に重畳された呼出信号を着信検出回路が検出し、検出信号を構内交換機の制御回路へ送出し、構内交換機は局用双方向トランクからの着信に対し応答するためにリレーＤを起動し、さらにＤリレーがオンしたことでリレーＡがオンし、局用双方向トランに対し直流ループを閉成し、局用双方向トランでリングトリップを行わせ、局用双方向トランクでは局線トランクが直流ループを閉成し着信に対し応答することでリングトリップし、呼出信号の送出を停止し、局線トランクでは局用双方向トランクからの呼出信号の送出停止を受けて着信検出回路が検出状態から非検出状態に帰り、さらに局用双方向トランクでリングトリップしたことで、局用双方向トランクは通常の空き状態の待機状態のＴｉｐ線が地気、Ｒｉｎｇ線がマイナス電源の状態に戻ることから、局線トランクの直流電流検出回路は非検出状態から検出に戻り、検出状態信号を構内交換機の制御回路へ送出し、通話終了により局用双方向トランクからのＴｉｐ線地気Ｒｉｎｇ線マイナス電源が一時瞬断しＴｉｐ線およびＲｉｎｇ線が一時オープン状態に変わることで局線トランクの直流電流検出回路は一時検出状態から非検出状態になり、構内交換機の制御回路は直流電流検出回路からの検出状態信号が一時なくなったことを受けてリレーＤを復旧させ、局用双方向トランクの保持をＤリレーのメーク接点により解放し局用双方向トランクを解放し、局用双方向トランクでは通話終了により局用双方向トランクからのＴｉｐ線地気Ｒｉｎｇ線マイナス電源が一時瞬断しＴｉｐ線およびＲｉｎｇ線が一時オープン状態にした後、再び元のＴｉｐ線地気Ｒｉｎｇ線マイナス電源の回線状態に戻し、元の局用双方向トランク２回線空きの状態になり、局線トランクの直流電流検出回路は再び検出状態になり、つぎの呼を待機し、Ｄリレーのオフ後放電抵抗ＲＳにより着信検出回路の直流カット用のコンデンサーＣＩの電荷を放電し、直流電流検出回路が非検出状態となった後にリレーＡを復旧し、Ａリレーのメーク接点を開放することで、局線トランクが待機状態に復帰する処理をコンピュータに実行させるためのグランドスタート方式およびループスタート方式兼用局線トランク回路の制御用プログラム。
【発明の効果】
【００４９】
第１の効果は、ループスタート、グランドスタートの両方式を同じハードウェアで実現し、切り替え回路やグランドスタート回路の切り離し回路を不要であるということである。
【００５０】
その理由は、高抵抗の直流電流検出回路により、ループスタート、グランドスタートの両方式の規格を満足できるためである。
【００５１】
第２の効果は、局線1次側（局用交換機側）と２次側（構内交換機側）の間で容易に絶縁を確保できることである。
【００５２】
その理由は、構内交換機側の回線に自己電源を使用しないで局用交換機側の電源を使用するからである。
【発明を実施するための最良の形態】
【００５３】
本発明は、局線トランク回路において、地気の検出を高抵抗の検出回路で行うことにより、切り替え回路やループスタート方式の場合にグランドスタート回路の切り離し回路を不要とする。
【００５４】
また、検出に局線１次側に自己電源を使用しないことで、局線1次側（局用交換機側）と２次側（構内交換機側）の間で容易に絶縁を確保できることにある。
【００５５】
次に、本発明を実施するための最良の形態について図１、図２、図３、図４、図５、および図６の図面を参照して詳細に説明する。
【００５６】
図１は本発明のグランドスタート方式およびループスタート方式兼用局線トランク回路、局線トランク回路の制御方法、および局線トランク回路の制御用プログラムの一実施の形態を示す局用交換機側のブロック図である。
【００５７】
また、図２は本発明のグランドスタート方式およびループスタート方式兼用局線トランク回路、局線トランク回路の制御方法、および局線トランク回路の制御用プログラムの一実施の形態を示す構内交換機側のブロック図である。
【００５８】
図１および図２を参照すると、局用交換機１と構内交換機４は局用交換機１側の局用双方向トランク２と構内交換機４側の局線トランク３により接続されている。
【００５９】
局線トランク３は局用交換機１側の局用双方向トランク２からのＴｉｐ線への地気およびＲｉｎｇ線へのマイナス電源（−４８Ｖ）の供給によるループ電流をフォトカプラーＰＣＤＣにより検出する直流電流検出回路３１と着信時局用双方向トランク２から供給される呼出信号ＲＧ（交流１６Ｈｚ、７５Ｖ信号）をフォトカプラーＰＣＲＧにより検出する着信検出回路３２および局用双方向トランク２をトランジスターＱによる適正ループ電流を生成し、ループ起動およびループ保持する直流シンク回路３３を備えている。
【００６０】
直流電流検出回路３１は局用交換機１側の局用双方向トランク２からのＴｉｐ線への地気およびＲｉｎｇ線へのマイナス電源（−４８Ｖ）の供給によるループ電流を、局用双方向トランク２をループスタートさせないが自己の局線トランク３の直流電流検出は可能とするよう調整された高抵抗ＲＤＣを通し、フォトカプラーＰＣＤＣにより検出し、直流電流検出回路３１のフォトダイオードＰＤＤに電流が流れることにより直流電流検出回路３１のフォトトランジスターＰＴＤがオンし、さらにフォトトランジスターＰＴＤによりダーリントン接続されたトランジスターＤＱがオンすることでＤＣＤＣＴ信号を構内交換機４の制御回路４１へ送出する。
【００６１】
ここで抵抗ＲＤＣはループスタート方式時の待機時、局用双方向トランク２をループ起動させないように高抵抗値としてあるため、高抵抗ＲＤＣを挿入することにより直流電流検出回路３１に流れる電流値が低くなるため、フォトカプラーＰＣＤＣには高感度のものを使用し、受光側はトランジスターＤＱをダーリントン接続することにより、検出感度を向上させている。
【００６２】
また、直流電流検出回路３１にフォトカプラーＰＣＤＣを使用したのは、局線1次側（局用交換機側）と内線２次側（構内交換機側）の間の絶縁を確保するためである。
【００６３】
また、発信時は、リレーＧのメーク接点ｇ２を閉じて、高抵抗ＲＤＣにさらに並列に抵抗ＲＰを挿入することによりＴｉｐ線Ｒｉｎｇ線間の抵抗値を低くし、直流電流検出回路３１に流れる回線ループ電流を増加させ、地気の検出感度を向上している。
【００６４】
直流電流検出回路３１は、グランドスタート方式の場合の発信時、局用双方向トランク２の起動完了によるＴｉｐ線地気送出の確認と、グランドスタート方式の場合の着信時、Ｔｉｐ線地気送出の確認と、ループスタート方式の場合の着信時、Ｔｉｐ線Ｒｉｎｇ線極性反転による非検出状態での着信検出、グランドスタート方式およびループスタート方式の場合の着信後の回線復旧監視に用いられる。
【００６５】
また、直流シンク回路３３は局用双方向トランク２に対し直流ループ回路を閉成し、ループスタート方式時の局用双方向トランク２のループ起動、ループスタート方式およびグランドスタート方式における直流ループ回路を閉成し着信に対する応答および通話中の回線の保持を行うものである。
【００６６】
直流シンク回路３３の構成は局線トランク３のＴｉｐ線Ｒｉｎｇ線間をダイオードＤ３３１、Ｄ３３２、Ｄ３３３、およびＤ３３４からなる全波整流型（両極性型）のダイオードブリッジ回路と、ダイオードブリッジ回路のプラス（＋）マイナス（−）間に接続された直流電流調整回路とにより直流ループ電流を調整するものである。
【００６７】
直流電流調整回路は、ダイオードブリッジ回路のプラス（＋）から抵抗ＲＢを経てトランジスターＱのベースに接続し、また、ダイオードブリッジ回路のプラス（＋）からトランジスターＱのコレクタに接続し、トランジスターＱのエミッターから抵抗ＲＥを経てダイオードブリッジ回路のマイナス（−）へ接続し、トランジスターＱのベースとダイオードブリッジ回路のマイナス（−）の間にゼナーダイオードＺＤをゼナーダイオードＺＤのアノード側をトランジスターＱのベースにまたゼナーダイオードＺＤのカソード側をダイオードブリッジ回路のマイナス（−）に接続し、ゼナーダイオードＺＤのゼナー電圧ｚｄによりトランジスターＱのエミッターバイアス抵抗ＲＥに流れる電流を回線ループ電流に最適な値とする構成にする。
【００６８】
また、着信検出回路３２は、着信時、局用双方向トランク２から供給される呼出信号ＲＧ（交流１６Ｈｚ、７５Ｖ信号）をフォトカプラーＰＣＲＧにより検出するものである。
【００６９】
局用双方向トランク２からＴｉｐ線Ｒｉｎｇ線間に重畳された呼出信号ＲＧ（交流１６Ｈｚ、７５Ｖ信号）は、局線トランク３のＴｉｐ線−着信検出回路３２の抵抗ＲＩ−着信検出回路３２の直流カットコンデンサーＣＩ−フォトカプラーＰＣＲＧの双方向フォトダイオードＰＤＩ１またはＰＤＩ２−Ｒｉｎｇ線に供給されるため、局用双方向トランク２はグランドスタート方式の場合はＴｉｐ線地気Ｒｉｎｇ線マイナス電源、また、ループスタート方式の場合はＴｉｐ線マイナス電源Ｒｉｎｇ線地気で電気的に終端されていることからフォトカプラーＰＣＲＧの双方向フォトダイオードＰＤＩ１またはＰＤＩ２に呼出信号ＲＧ（交流１６Ｈｚ、７５Ｖ信号）による交流電流が流れフォトカプラーＰＣＲＧのフォトトランジスターＰＴＩがオン（感動）し、フォトトランジスターＰＴＩのオンによりＲＧＤＣＴ信号オンを構内交換機４の制御回路４１へ送出する。
【００７０】
また、図３は本発明のグランドスタート方式およびループスタート方式兼用局線トランク回路、局線トランク回路の制御方法、および局線トランク回路の制御用プログラムの一実施の形態のグランドスタート方式における発信時の動作を示すタイムシーケンスチャートである。
【００７１】
また、図４は本発明のグランドスタート方式およびループスタート方式兼用局線トランク回路、局線トランク回路の制御方法、および局線トランク回路の制御用プログラムの一実施の形態のループスタート方式における発信時の動作を示すタイムシーケンスチャートである。
【００７２】
また、図５は本発明のグランドスタート方式およびループスタート方式兼用局線トランク回路、局線トランク回路の制御方法、および局線トランク回路の制御用プログラムの一実施の形態のグランドスタート方式における着信時の動作を示すタイムシーケンスチャートである。
【００７３】
また、図６は本発明のグランドスタート方式およびループスタート方式兼用局線トランク回路、局線トランク回路の制御方法、および局線トランク回路の制御用プログラムの一実施の形態のループスタート方式における着信時の動作を示すタイムシーケンスチャートである。
【００７４】
まず、図３を参照して、グランドスタート方式における構内交換機４側から局用交換機１側への発信時の動作につき説明する。
【００７５】
グランドスタート方式において、発信時、発信動作を行うため局線トランク３は構内交換機４の制御回路４１の制御のもとにリレーＧ（図示されてない）を動作し（スッテプＳ１）、そのリレーＧのメーク接点ｇ１により地気を抵抗ＲＳＴを経てＲｉｎｇ線へ供給し、発信動作を行い、局用交換機１側の局用双方向トランク２へ起動信号を送出する。
【００７６】
局用双方向トランク２は局線トランク３からのＲｉｎｇ線地気の起動信号を受けて、起動の受付動作を行い、局用双方向トランク２は起動完了にともないＴｉｐ線は空き状態のオープン状態から地気を上げてくる（スッテプＳ２）。グランドスタート方式における局用双方向トランク２の通常の空き状態の待機状態はＴｉｐ線がオープン、Ｒｉｎｇ線がマイナス電源である。
【００７７】
局用双方向トランク２の起動完了にともないＴｉｐ線がオープンから地気に変わったことで、局線トランク３が次の経路で動作し、局用双方向トランク２の起動完了を確認できる。
【００７８】
局用双方向トランク２の地気−Ｔｉｐ線−局線トランク３のリレーＧのメーク接点ｇ２をを経た抵抗ＲＰと抵抗ＲＤＣの並列抵抗回路−直流電流検出回路３１のフォトダイオードＰＤＤ−Ｒｉｎｇ線−局用双方向トランク２のマイナス電源
以上の経路により直流電流検出回路３１のフォトダイオードＰＤＤに電流が流れることにより直流電流検出回路３１のフォトトランジスターＰＴＤがオンし、さらにフォトトランジスターＰＴＤによりダーリントン接続されたトランジスターＤＱがオンすることでＤＣＤＣＴ信号を構内交換機４の制御回路４１へ送出する。
【００７９】
ここで抵抗ＲＤＣはループスタート方式時の待機時、局用双方向トランク２をループ起動させないように高抵抗値としてある。また、直流電流検出回路３１にフォトカプラーＰＣＤＣを使用したのは、局線１次−２次間の絶縁を確保するためである。
【００８０】
高抵抗ＲＤＣを挿入することにより直流電流検出回路３１に流れる電流値が低くなるため、フォトカプラーＰＣＤＣには高感度のものを使用し、受光側はトランジスターＤＱをダーリントン接続することにより、検出感度を向上させている。
【００８１】
発信時は、リレーＧのメーク接点ｇ２を閉じて、高抵抗ＲＤＣに並列に抵抗ＲＰを挿入することによりＴｉｐ線Ｒｉｎｇ線間の抵抗値を低くし、直流電流検出回路３１に流れる回線ループ電流を増加させ、地気の検出感度を向上している。
【００８２】
構内交換機４は局用双方向トランク２の起動を確認し、制御回路４１は回線の保持のためリレーＤ（図示されてない）を動作し（スッテプＳ３）、さらにリレーＡ動作し（スッテプＳ４）、次の経路で局用双方向トランク２の回線を保持する。
【００８３】
局用双方向トランク２の地気−Ｔｉｐ線−局線トランク３のリレーＡのメーク接点ａ−局線トランク３のリレーＤのメーク接点ｄ−直流シンク回路３３（ダイオードＤ３３２−（抵抗ＲＢ−トランジスターＱのベース−ＱのエミッターとＱのコレクターとのパラレル−Ｑのエミッター−抵抗ＲＥ）−ダイオードＤ３３４）−Ｒｉｎｇ線−局用双方向トランク２のマイナス電源
（また、発信後の相手先応答時の極性反転時は
局用双方向トランク２のマイナス電源−Ｔｉｐ線−局線トランク３のリレーＡのメーク接点ａ−局線トランク３のリレーＤのメーク接点ｄ−直流シンク回路３３（ダイオードＤ３３３−（抵抗ＲＢ−トランジスターＱのベース−ＱのエミッターとＱのコレクターとのパラレル−Ｑのエミッター−抵抗ＲＥ）−ダイオードＤ３３１）−Ｒｉｎｇ線−局用双方向トランク２の地気）
局線トランク３は前記経路で局用双方向トランク２を保持するとともに先に局用双方向トランク２起動時動作したリレーＧを復旧する（スッテプＳ５）。
【００８４】
通話中はＴｉｐ線とＲｉｎｇ線の間をメーク接点ａ−メーク接点ｄ−ダイオードブリッジ（Ｄ３３１、Ｄ３３２、Ｄ３３３、Ｄ３３４）とトランジスターＱから形成される直流シンク回路３３で閉成し、通話回線を保持し、通話は局用交換機１側Ｔｉｐ線Ｒｉｎｇ線と構内交換機４側Ａ線Ｂ線をカップリング通話トランスＬを介して行われる。
【００８５】
Ｔｉｐ線とＲｉｎｇ線間にカップリング通話トランスＬと直列に入っているコンデンサーＣＣはカップリング通話トランスＬに直流電流を流さないための役目をしているものである。
【００８６】
ここで、直流シンク回路３３内のトランジスターＱのベースとトランジスターＱのエミッターを経た抵抗ＲＥの間に接続されたコンデンサーＣＢは通話中通話音声によりトランジスターＱのベースに入力された音声信号がトランジスターＱにより増幅され回線の保持直流電流が変動することを防止するための音声信号バイパス用の役目をはたすものである。
【００８７】
また、直流シンク回路３３は回線ループ電流を最適な値にするためにトランジスターＱと、直流シンク回路３３内のトランジスターＱのベースとトランジスターＱのエミッターを経た抵抗ＲＥの間に接続されたゼナーダイオードＺＤと、トランジスターＱのエミッターに接続された抵抗ＲＥとにより制御している。この制御の回線ループ電流を最適な値にすることとは、局用双方向トランク２に対しループスタートできしかも回線保持ができることと、局線トランク３内の直流電流検出回路３１と直流シンク回路３３がＴｉｐ線Ｒｉｎｇ線間に並列に接続されている状態でも直流電流検出回路３１が検出状態となれることである。
【００８８】
たとえば、回線ループ電流の最適値としてＩｒｏｏｐ＝２０ｍＡ（局線トランク３内のＴｉｐ線Ｒｉｎｇ線間の電圧値Ｅｔ−ｒではＥｔ−ｒ＝６Ｖとすると）、ナーダイオードＺＤのゼナー電圧Ｅｚｄとすると、
Ｅｔ−ｒ＝６Ｖ＝Ｅｃｅ＋Ｉｒｏｏｐ＊ＲＥ≒０＋（Ｅｚｄ−Ｅｂｅ）≒Ｅｚｄ−０．７Ｖ
Ｅｚｄ＝６Ｖ＋０．７Ｖ＝６．７Ｖ
ＲＥ＝Ｅｔ−ｒ／Ｉｒｏｏｐ＝６Ｖ／２０ｍＡ＝３００オーム
となる。
【００８９】
また、直流シンク回路３３が前記条件で可動している場合、直流電流検出回路３１も検出状態になる必要があり、それには直流電流検出回路３１のフォトカプラーＰＣＤＣがオンする電流Ｉｍｉｎｐｄ≒Ｅｔ−ｒ／ＲＤＣ＝６Ｖ／ＲＤＣにする必要があり、しかもループスタート方式の場合の局用双方向トランク２に対しループスタートがかからないよなＩｍａｘｐｄ値にしなければならない。
【００９０】
以上のような条件を満足するように直流電流検出回路３１の抵抗ＲＤＣの値をできるだけ高い抵抗値に設定し、高抵抗の抵抗ＲＤＣを使用する。
【００９１】
通話終了により構内交換機４の制御回路４１はリレーＤを復旧させ（スッテプＳ６）、局用双方向トランク２の保持をＤリレーのメーク接点ｄにより解放し局用双方向トランク２を解放する（スッテプＳ７）。
【００９２】
局用双方向トランク２では保持ループ回路が開放されたことで復旧動作を実行しＴｉｐ線に上げていた地気を外しオープン状態に戻し、元の局用双方向トランク２回線空きの状態になる。
【００９３】
Ｔｉｐ線オープン状態になったことで直流電流検出回路３１は解放され非検出状態に戻る。
【００９４】
Ｔｉｐ線とＲｉｎｇ線の間には着信検出回路３２に含まれる直流カット用のコンデンサーＣＩに電荷が蓄積されている。Ｔｉｐ線とＲｉｎｇ線の間には高抵抗ＲＤＣ、直流電流検出回路３１の直流ループしかないため、この電荷がすぐに放電されず直流電流検出回路３１が検出状態となってしまう。そのため、Ｄリレーのメーク接点ｄのみを開放し、放電抵抗ＲＳによりこの電荷を放電し、直流電流検出回路３１が非検出状態となった後にリレーＡを復旧し（スッテプＳ８）、Ａリレーのメーク接点ａを開放することで、待機状態に復帰する。
【００９５】
次に、図４を参照して、ループスタート方式における構内交換機４側から局用交換機１側への発信時の動作につき説明する。
【００９６】
ループスタート方式において、ループスタート方式における局用双方向トランク２の通常の空き状態の待機状態はＴｉｐ線が地気、Ｒｉｎｇ線がマイナス電源である。
【００９７】
発信時、発信動作を行うため局線トランク３は構内交換機４の制御回路４１の制御のもとにリレーＤ（図示されてない）を動作し（スッテプＳ１）、続いてリレーＡ（図示されてない）を動作し（スッテプＳ２）、Ｔｉｐ線とＲｉｎｇ線の間を、それらのリレーＤのメーク接点ｄおよびリレーＡのメーク接点ａからなる直列接続回路にダイオードブリッジ（Ｄ３３１、Ｄ３３２、Ｄ３３３、Ｄ３３４）とトランジスターＱから形成される直流シンク回路３３を直列接続し、Ｔｉｐ線とＲｉｎｇ線間を閉成し、局用交換機１側の局用双方向トランク２に対してループ起動し、通話を開始する。
【００９８】
通話中局線トランク３は前記ループ回路で局用双方向トランク２を保持する。
【００９９】
通話中はＴｉｐ線とＲｉｎｇ線の間をメーク接点ａ−メーク接点ｄ−ダイオードブリッジ（Ｄ３３１、Ｄ３３２、Ｄ３３３、Ｄ３３４）とトランジスターＱから形成される直流シンク回路３３で閉成し、通話回線を保持し、通話は局用交換機１側Ｔｉｐ線Ｒｉｎｇ線と構内交換機４側Ａ線Ｂ線をカップリング通話トランスＬを介して行われる。ここでＴｉｐ線とＲｉｎｇ線間にカップリング通話トランスＬと直列に入っているコンデンサーＣＣはカップリング通話トランスＬに直流電流を流さないための役目をしているものである。
【０１００】
通話終了により構内交換機４の制御回路４１はリレーＤを復旧させ（スッテプＳ３）、局用双方向トランク２の保持をＤリレーのメーク接点ｄにより解放し局用双方向トランク２を解放する。
【０１０１】
局用双方向トランク２では保持ループ回路が開放されたことで復旧動作を実行する。
【０１０２】
構内交換機４の制御回路４１はリレーＤを復旧させた後、リレーＡが復旧し（スッテプＳ４）、Ａリレーのメーク接点ａを開放することで、待機状態に復帰する。
【０１０３】
尚。ループスタート方式においては局用双方向トランク２の回線状態は待機状態および通話中状態ともＴｉｐ線が地気、Ｒｉｎｇ線がマイナス電源であことから、直流電流検出回路３１は常時検出状態となっている。
【０１０４】
次に、図５を参照して、グランドスタート方式における局用交換機１側から構内交換機４側への着信時の動作につき説明する。
【０１０５】
グランドスタート方式において、着信時、着信動作を行うため局用双方向トランク２は通常の空き状態の待機状態のＴｉｐ線がオープン、Ｒｉｎｇ線がマイナス電源から、Ｒｉｎｇ線がマイナス電源でＴｉｐ線をオープン状態から地気にし、呼出信号ＲＧ（交流１６Ｈｚ、７５Ｖ）を重畳してくる（スッテプＳ１）。
【０１０６】
局線トランク３はＴｉｐ線に地気を受けて（スッテプＳ２）直流電流検出回路３１が次の経路で検出状態となる（スッテプＳ４）。
【０１０７】
局用双方向トランク２内のメーク接点ｉｃによるＴｉｐ線地気−Ｔｉｐ線−直流電流検出回路３１の抵抗ＲＤＣ−直流電流検出回路３１のフォトカプラーＰＣＤＣのフォトダイオードＰＤＤ−Ｒｉｎｇ線−Ｒｉｎｇ線マイナス電源
以上の経路により直流電流検出回路３１のフォトダイオードＰＤＤに電流が流れることにより直流電流検出回路３１のフォトトランジスターＰＴＤがオンし、さらにフォトトランジスターＰＴＤによりダーリントン接続されたトランジスターＤＱがオンすることでＤＣＤＣＴ信号を構内交換機４の制御回路４１へ送出する。
【０１０８】
さらに、局線トランク３はＴｉｐ線Ｒｉｎｇ線間に重畳された呼出信号ＲＧ（スッテプＳ３）を着信検出回路３２が次の経路で検出する（スッテプＳ５）。
【０１０９】
局用双方向トランク２内のメーク接点ｉｃによるＴｉｐ線地気−Ｔｉｐ線−着信検出回路３２の抵抗ＲＩ−着信検出回路３２の直流カットコンデンサーＣＩ−フォトカプラーＰＣＲＧの双方向フォトダイオードＰＤＩ１またはＰＤＩ２−Ｒｉｎｇ線−局用双方向トランク２内の呼出信号ＲＧを経たマイナス電源
以上の経路により着信検出回路３２のフォトカプラーＰＣＲＧの双方向フォトダイオードＰＤＩ１またはＰＤＩ２に呼出信号ＲＧの交流による電流が流れることにより着信検出回路３２のフォトトランジスターＰＴＩがオンし、ＲＧＤＣＴ信号を構内交換機４の制御回路４１へ送出する。
【０１１０】
以上局用双方向トランク２からの着信により直流電流検出回路３１のフォトトランジスターＰＴＤがオンし、さらにフォトトランジスターＰＴＤによりダーリントン接続されたトランジスターＤＱがオンすることでＤＣＤＣＴ信号を構内交換機４の制御回路４１へ送出することと（スッテプＳ４）、さらに、着信検出回路３２のフォトトランジスターＰＴＩがオンし、ＲＧＤＣＴ信号を構内交換機４の制御回路４１へ送出することにより（スッテプＳ５）、構内交換機４は局用双方向トランク２からの着信に対し応答するためにリレーＤを起動（オン）してくる（スッテプＳ４およびスッテプＳ５）。
【０１１１】
さらにＤリレーがオンした（スッテプＳ６）ことでリレーＡがオンし（スッテプＳ７）、局用双方向トラン２に対し次の経路で直流ループを閉成し、局用双方向トラン２でリングトリップを行わせる。
【０１１２】
局用双方向トランク２のメーク接点ｉｃによるＴｉｐ線地気−Ｔｉｐ線−局線トランク３のリレーＡのメーク接点ａ−局線トランク３のリレーＤのメーク接点ｄ−直流シンク回路３３（ダイオードＤ３３２−（抵抗ＲＢ−トランジスターＱのベース−ＱのエミッターとＱのコレクターとのパラレル−Ｑのエミッター）−抵抗ＲＥ−ダイオードＤ３３４）−Ｒｉｎｇ線−局用双方向トランク２のマイナス電源
局用双方向トランク２では局線トランク３が直流ループを閉成し着信に対し応答することでリングトリップし、呼出信号ＲＧの送出を停止する（スッテプＳ８）。
【０１１３】
局線トランク３では局用双方向トランク２からの呼出信号ＲＧの送出停止を受けて着信検出回路３２が検出状態から非検出状態に帰る。
【０１１４】
通話中はＴｉｐ線とＲｉｎｇ線の間をメーク接点ａ−メーク接点ｄ−ダイオードブリッジ（Ｄ３３１、Ｄ３３２、Ｄ３３３、Ｄ３３４）とトランジスターＱから形成される直流シンク回路３３で閉成し、通話回線を保持し、通話は局用交換機１側Ｔｉｐ線Ｒｉｎｇ線と構内交換機４側Ａ線Ｂ線をカップリング通話トランスＬを介して行われる。ここでＴｉｐ線とＲｉｎｇ線間にカップリング通話トランスＬと直列に入っているコンデンサーＣＣはカップリング通話トランスＬに直流電流を流さないための役目をしているものである。
【０１１５】
通話終了により局用双方向トランク２からのＴｉｐ線地気がオープン状態に変わる（スッテプＳ９）ことで局線トランク３の直流電流検出回路３１は検出状態から非検出状態になり、構内交換機４の制御回路４１は直流電流検出回路３１からのＤＣＤＣＴ信号がなくなったことを受けてリレーＤを復旧させ（スッテプＳ１０）、局用双方向トランク２の保持をＤリレーのメーク接点ｄにより解放し局用双方向トランク２を解放する。
【０１１６】
局用双方向トランク２では保持ループ回路が開放されたことで復旧動作を実行しＴｉｐ線に上げていた地気を外しオープン状態に戻し、元の局用双方向トランク２回線空きの状態になる。
【０１１７】
Ｄリレーのオフ後放電抵抗ＲＳにより着信検出回路３２の直流カット用のコンデンサーＣＩの電荷を放電し、直流電流検出回路３１が非検出状態となった後にリレーＡを復旧し（スッテプＳ１１）、Ａリレーのメーク接点ａを開放することで、待機状態に復帰する。
【０１１８】
次に、図６を参照して、ループスタート方式における局用交換機１側から構内交換機４側への着信時の動作につき説明する。
【０１１９】
ループスタート方式において、ループスタート方式における局用双方向トランク２の通常の空き状態の待機状態はＴｉｐ線が地気、Ｒｉｎｇ線がマイナス電源である。
【０１２０】
ループスタート方式において、着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号ＲＧ（交流１６Ｈｚ、７５Ｖ）を重畳してくる（スッテプＳ１）。
【０１２１】
局線トランク３は局用双方向トランク２が通常の空き状態の待機状態のＴｉｐ線が地気、Ｒｉｎｇ線がマイナス電源から、直流電流検出回路３１は次の経路で通常の待機状態では検出状態となっている。
【０１２２】
局用双方向トランク２内のＴｉｐ線地気−Ｔｉｐ線−直流電流検出回路３１の抵抗ＲＤＣ−直流電流検出回路３１のフォトカプラーＰＣＤＣのフォトダイオードＰＤＤ−Ｒｉｎｇ線−Ｒｉｎｇ線マイナス電源
以上の経路により直流電流検出回路３１のフォトダイオードＰＤＤに電流が流れることにより直流電流検出回路３１のフォトトランジスターＰＴＤがオンし、さらにフォトトランジスターＰＴＤによりダーリントン接続されたトランジスターＤＱがオンすることでＤＣＤＣＴ信号を構内交換機４の制御回路４１へ送出している。
【０１２３】
着信時、着信動作を行うため局用双方向トランク２は通常の空き状態の待機状態のＴｉｐ線が地気、Ｒｉｎｇ線がマイナス電源から、Ｔｉｐ線をマイナス電源、Ｒｉｎｇ線が地気にし、呼出信号ＲＧ（交流１６Ｈｚ、７５Ｖ）を重畳してくる（スッテプＳ１）。
【０１２４】
着信により、Ｔｉｐ線マイナス電源、Ｒｉｎｇ線地気に変化した（スッテプＳ２）ことにより局線トランク３の直流電流検出回路３１は次の経路で検出状態から非検出状態となる（スッテプＳ４）。
【０１２５】
局用双方向トランク２内のＴｉｐ線マイナス電源−Ｔｉｐ線−直流電流検出回路３１の抵抗ＲＤＣ−直流電流検出回路３１のフォトカプラーＰＣＤＣのフォトダイオードＰＤＤ−Ｒｉｎｇ線−Ｒｉｎｇ線地気
以上の経路により直流電流検出回路３１のフォトダイオードＰＤＤには電流が流れなくなり直流電流検出回路３１のフォトトランジスターＰＴＤがオフし、さらにフォトトランジスターＰＴＤによりダーリントン接続されたトランジスターＤＱがオフすることでＤＣＤＣＴ信号がオフし構内交換機４の制御回路４１へ送出される（スッテプＳ４）。
【０１２６】
さらに、局線トランク３はＴｉｐ線Ｒｉｎｇ線間に重畳された呼出信号ＲＧ（スッテプＳ３）を着信検出回路３２が次の経路で検出する（スッテプＳ５）。
【０１２７】
局用双方向トランク２内の呼出信号ＲＧを経たマイナス電源−Ｔｉｐ線−着信検出回路３２の抵抗ＲＩ−着信検出回路３２の直流カットコンデンサーＣＩ−フォトカプラーＰＣＲＧの双方向フォトダイオードＰＤＩ１またはＰＤＩ２−Ｒｉｎｇ線−局用双方向トランク２内のＲｉｎｇ線地気
以上の経路により着信検出回路３２のフォトカプラーＰＣＲＧの双方向フォトダイオードＰＤＩ１またはＰＤＩ２に呼出信号ＲＧの交流による電流が流れることにより着信検出回路３２のフォトトランジスターＰＴＩがオンし、ＲＧＤＣＴ信号を構内交換機４の制御回路４１へ送出する（スッテプＳ５）。
【０１２８】
以上局用双方向トランク２からの着信により直流電流検出回路３１のフォトトランジスターＰＴＤがオフし、さらにフォトトランジスターＰＴＤによりダーリントン接続されたトランジスターＤＱがオフすることでＤＣＤＣＴ信号オフを構内交換機４の制御回路４１へ送出することと（スッテプＳ４）、さらに、着信検出回路３２のフォトトランジスターＰＴＩがオンし、ＲＧＤＣＴ信号を構内交換機４の制御回路４１へ送出することにより（スッテプＳ５）、構内交換機４は局用双方向トランク２からの着信に対し応答するためにリレーＤを起動（オン）してくる（スッテプＳ４およびスッテプＳ５）。
【０１２９】
さらにＤリレーがオンした（スッテプＳ６）ことでリレーＡがオンし（スッテプＳ７）、局用双方向トラン２に対し次の経路で直流ループを閉成し、局用双方向トラン２でリングトリップを行わせる。
【０１３０】
局用双方向トランク２のＴｉｐ線マイナス電源−Ｔｉｐ線−局線トランク３のリレーＡのメーク接点ａ−局線トランク３のリレーＤのメーク接点ｄ−直流シンク回路３３（ダイオードＤ３３３−（抵抗ＲＢ−トランジスターＱのベース−ＱのエミッターとＱのコレクターとのパラレル−Ｑのエミッター抵抗ＲＥ）−ダイオードＤ３３１）−Ｒｉｎｇ線−局用双方向トランク２の地気
局用双方向トランク２では局線トランク３が直流ループを閉成し着信に対し応答することでリングトリップし、呼出信号ＲＧの送出を停止する（スッテプＳ８）。
【０１３１】
局線トランク３では局用双方向トランク２からの呼出信号ＲＧの送出停止を受けて着信検出回路３２が検出状態から非検出状態に帰る。
【０１３２】
さらに局用双方向トランク２でリングトリップしたことで、局用双方向トランク２は通常の空き状態の待機状態のＴｉｐ線が地気、Ｒｉｎｇ線がマイナス電源の状態に戻ることから、局線トランク３の直流電流検出回路３１は次の経路で非検出状態から検出状態に戻る（スッテプＳ９）。
【０１３３】
局用双方向トランク２内のＴｉｐ線地気−Ｔｉｐ線−直流電流検出回路３１の抵抗ＲＤＣ−直流電流検出回路３１のフォトカプラーＰＣＤＣのフォトダイオードＰＤＤ−Ｒｉｎｇ線−Ｒｉｎｇ線マイナス電源
以上の経路により直流電流検出回路３１のフォトダイオードＰＤＤに電流が流れることにより直流電流検出回路３１のフォトトランジスターＰＴＤが再びオンし、さらにフォトトランジスターＰＴＤによりダーリントン接続されたトランジスターＤＱがオンすることでＤＣＤＣＴ信号を構内交換機４の制御回路４１へ送出する。
【０１３４】
通話中はＴｉｐ線とＲｉｎｇ線の間をメーク接点ａ−メーク接点ｄ−ダイオードブリッジ（Ｄ３３１、Ｄ３３２、Ｄ３３３、Ｄ３３４）とトランジスターＱから形成される直流シンク回路３３で閉成し、通話回線を保持し、通話は局用交換機１側Ｔｉｐ線Ｒｉｎｇ線と構内交換機４側Ａ線Ｂ線をカップリング通話トランスＬを介して行われる。ここでＴｉｐ線とＲｉｎｇ線間にカップリング通話トランスＬと直列に入っているコンデンサーＣＣはカップリング通話トランスＬに直流電流を流さないための役目をしているものである。
【０１３５】
通話終了により局用双方向トランク２からのＴｉｐ線地気Ｒｉｎｇ線マイナス電源が一時瞬断しＴｉｐ線およびＲｉｎｇ線が一時オープン状態に変わる（スッテプＳ１０）ことで局線トランク３の直流電流検出回路３１は一時検出状態から非検出状態になり、構内交換機４の制御回路４１は直流電流検出回路３１からのＤＣＤＣＴ信号が一時なくなったことを受けてリレーＤを復旧させ（スッテプＳ１１）、局用双方向トランク２の保持をＤリレーのメーク接点ｄにより解放し局用双方向トランク２を解放する。
【０１３６】
局用双方向トランク２では通話終了により局用双方向トランク２からのＴｉｐ線地気Ｒｉｎｇ線マイナス電源が一時瞬断しＴｉｐ線およびＲｉｎｇ線が一時オープン状態にした後、再び元のＴｉｐ線地気Ｒｉｎｇ線マイナス電源の回線状態に戻し、元の局用双方向トランク２回線空きの状態になる。
【０１３７】
局線トランク３の直流電流検出回路３１は再び検出状態になり、つぎの呼を待機する。
【０１３８】
Ｄリレーのオフ後放電抵抗ＲＳにより着信検出回路３２の直流カット用のコンデンサーＣＩの電荷を放電し、直流電流検出回路３１が非検出状態となった後にリレーＡを復旧し（スッテプＳ１２）、Ａリレーのメーク接点ａを開放することで、局線トランク３は待機状態に復帰する。
【図面の簡単な説明】
【０１３９】
【図１】本発明のグランドスタート方式およびループスタート方式兼用局線トランク回路、局線トランク回路の制御方法、および局線トランク回路の制御用プログラムの一実施の形態を示す局用交換機側のブロック図である。
【図２】本発明のグランドスタート方式およびループスタート方式兼用局線トランク回路、局線トランク回路の制御方法、および局線トランク回路の制御用プログラムの一実施の形態を示す構内交換機側のブロック図である。
【図３】本発明のグランドスタート方式およびループスタート方式兼用局線トランク回路、局線トランク回路の制御方法、および局線トランク回路の制御用プログラムの一実施の形態のグランドスタート方式における発信時の動作を示すタイムシーケンスチャートである。
【図４】本発明のグランドスタート方式およびループスタート方式兼用局線トランク回路、局線トランク回路の制御方法、および局線トランク回路の制御用プログラムの一実施の形態のループスタート方式における発信時の動作を示すタイムシーケンスチャートである。
【図５】本発明のグランドスタート方式およびループスタート方式兼用局線トランク回路、局線トランク回路の制御方法、および局線トランク回路の制御用プログラムの一実施の形態のグランドスタート方式における着信時の動作を示すタイムシーケンスチャートである。
【図６】本発明のグランドスタート方式およびループスタート方式兼用局線トランク回路、局線トランク回路の制御方法、および局線トランク回路の制御用プログラムの一実施の形態のループスタート方式における着信時の動作を示すタイムシーケンスチャートである。
【符号の説明】
【０１４０】
１    局用交換機
２    局用双方向トランク
３    局線トランク
４    構内交換機
３１    直流電流検出回路
３２    着信検出回路
３３    直流シンク回路
４１    制御回路
ＲＢ、ＲＤＣ、ＲＥ、ＲＩ、ＲＰ、ＲＳ    抵抗
Ａ、Ｄ、Ｇ    リレー
ＣＢ、ＣＣ、ＣＩ    コンデンサー
Ｄ３３１、Ｄ３３２、Ｄ３３３、Ｄ３３４    ダイオード
ＤＱ、Ｑ    トランジスター
Ｌ    カップリング通話トランス
ＰＣＤＣ、ＰＣＲＧ    フォトカプラー
ＰＤＤ、ＰＤＩ１、ＰＤＩ２    フォトダイオード
ＰＴＤ、ＰＴＩ    フォトトランジスター
ＲＧ    呼出信号
ＺＤ    ゼナーダイオード
【図１】
2005073112.tif 000003
【図２】
2005073112.tif 000004
【図３】
2005073112.tif 000005
【図４】
2005073112.tif 000006
【図５】
2005073112.tif 000007
【図６】
2005073112.tif 000008